(57)【要約】【課題】機械室レスエレベータの主ロープ交換作業において、安全かつ短時間で作業する。【解決手段】乗りかごを昇降路頂部近傍で吊下げて保持し、既設の旧ロープ１０の片方の端部に新ロープ１１を接合し、旧ロープのもう一方の端部から旧ロープを巻き取ると同時に新ロープを送り出すロープ交換方法にあって、各ロープ交換用ドラム３０、３１の直前のロープ経路に配置された主ロープ把持装置５０の中央ローラ１、３および押圧ローラ２、４でそれぞれ旧ロープおよび新ロープを挟み込み、中央ローラおよび押圧ローラをそれぞれ同じ方向に連動回転するようにしたことで、ロープの落下防止・巻き取り負荷軽減の効果を得ることができる。【選択図】図３
2012056716.tif 000002
【特許請求の範囲】
【請求項１】
乗りかごを昇降路頂部近傍で吊下げて保持し、既設の旧ロープの片方の端部に新ロープを接合し、前記旧ロープの他方の端部から旧ロープを巻き取ると同時に前記新ロープを送り出すロープ交換方法にあって、前記旧ロープの巻き取り用ドラムと前記新ロープの送り出し用ドラムの直前にあるロープ経路で、前記旧ロープおよび前記新ロープをそれぞれ中央ローラと押圧ローラで挟み込み、前記中央ローラと前記押圧ローラをそれぞれ同じ方向に連動回転するようにして、前記旧ロープを前記巻き取り用ドラムに巻き取ると同時に、前記新ロープを前記送り出し用ドラムから送り出してロープの交換を行なうようにしたエレベータの主ロープ交換方法。
【請求項２】
乗りかごを昇降路頂部近傍で吊下げ、カウンタウェイトを昇降路底部で支持して旧ロープに力が掛からないようにする工程、前記旧ロープの一端を固定部から切り離して新ロープと接続すると共に、前記旧ロープの他端を巻き取り用ドラムに接続する工程、前記旧ロープの巻き取り用ドラムと前記新ロープの送り出し用ドラムの直前に設けられた主ロープ把持装置の中央ローラと押圧ローラにそれぞれ前記旧ロープおよび新ロープを挟み込む工程、前記中央ローラと前記押圧ローラをそれぞれ同じ方向に連動回転するようにして、前記旧ロープを前記巻き取り用ドラムに巻き取ると同時に、前記新ロープを前記送り出し用ドラムから送り出す工程、前記旧ロープと前記新ロープの接続部を切り離して、新ロープの両端を固定部に固定する工程を備えたエレベータの主ロープ交換方法。
【請求項３】
乗りかごを昇降路頂部近傍で吊下げて保持し、既設の旧ロープの片方の端部に新ロープを接合し、前記旧ロープの他方の端部から旧ロープを巻き取ると同時に前記新ロープを送り出すロープ交換装置にあって、最上階乗場に設置された前記旧ロープの巻き取り用ドラムと前記新ロープの送り出し用ドラム、前記巻き取り用ドラムと前記送り出し用ドラムの直前に設けられ、昇降路頂部または最上階乗場付近に固定された主ロープ把持装置を備え、前記主ロープ把持装置は、前記旧ロープを挟み込みで把持する巻き取り側中央ローラと巻き取り側押圧ローラ、および前記新ロープを挟み込みで把持する送り出し側中央ローラと送り出し側押圧ローラを有し、前記巻き取り側中央ローラと前記送り出し側中央ローラおよび前記巻き取り側押圧ローラと前記送り出し側押圧ローラはそれぞれ同じ方向に連動回転するようにしてなるエレベータの主ロープ交換装置。
【請求項４】
主ロープ把持装置は、巻き取り側中央ローラと送り出し側中央ローラが軸によって連結されてそれぞれ同一方向に回転し、巻き取り側押圧ローラと送り出し側押圧ローラが連結ベルトによって連結されてそれぞれ同一方向に回転するようにした請求項３に記載のエレベータの主ロープ交換装置。
【請求項５】
主ロープ把持装置は、巻き取り側押圧ローラおよび送り出し側押圧ローラをそれぞれ中央ローラ側に押し付けるばねと、このばねのばね力を調整できる調整ボルトを備えてなる請求項３または請求項４に記載のエレベータの主ロープ交換装置。
【請求項６】
主ロープ把持装置は、巻き取り側中央ローラと巻き取り側押圧ローラ、および送り出し側中央ローラと送り出し側押圧ローラの４つのローラの径を同一に構成したことを特徴とする請求項３乃至請求項５のいずれか１項に記載のエレベータの主ロープ交換装置。
【請求項７】
主ロープ把持装置、送り出し用ドラムおよび巻き取り用ドラムは、固定フレームにより固定されて一体構造にされたことを特徴とする請求項３乃至請求項６のいずれか１項に記載のエレベータの主ロープ交換装置。
【請求項８】
巻き取り用ドラムに手回しハンドルと減速機構を取り付けたことを特徴とする請求項７に記載のエレベータの主ロープ交換装置。
【請求項９】
巻き取り側押圧ローラと送り出し側押圧ローラは２個の張り車を介して連結ベルトで連結し、前記２個の張り車は張り車調整ボルトにより連動して動くことを特徴とする請求項３に記載のエレベータの主ロープ交換装置。
【請求項１０】
巻き取り用ドラムにバッテリで動作する電動機を取り付けたことを特徴とする請求項７記載のエレベータの主ロープ交換装置。
【請求項１１】
請求項３乃至請求項１０のいずれか１項に記載のエレベータの主ロープ交換装置を、複数台同時に動作させることで、複数ロープを同時交換することを特徴としたエレベータの主ロープ交換方法。
【発明の詳細な説明】
【技術分野】
【０００１】
この発明は、エレベータにおいて、機械室レスエレベータの主ロープの交換を行なう主ロープ交換方法および装置に関するものである。
【背景技術】
【０００２】
近年、設置場所の省スペース化を実現する機械室レスエレベータが主流となっている。機械室レスエレベータは、ロープ交換の際に従来の機械室エレベータと比べて、昇降路及び乗場という限られたスペースで作業を行わなければならず、時間と労力がかかるという課題があった。
【０００３】
エレベータの主ロープ交換方法で、乗りかごを昇降路上部に吊り上げた後、中央ローラを挟んで水平方向の左右に端部側ローラと中間側ローラを配設したロープ把持装置に対し、各ローラで既設主ロープ（以下、旧ロープ）及び新設主ロープ（以下、新ロープ）を挟み込んで保持させ、旧ロープを巻き取り、新ロープを送り出すことで主ロープを移送して交換する方法が提案されている。（例えば特許文献１、特許文献２参照）
【０００４】
また、機械室エレベータの主ロープ回収方法及び装置であって、乗りかごを昇降路上部に移動させ、昇降路の上部から吊下げた牽引装置に新ロープ及び旧ロープを勘合させて新旧のロープを交換するもので、牽引装置はモータで駆動される牽引ディスクに対して相対する支持ローラにより主ロープを圧迫して挟み込み、牽引ディスクの回転に伴い主ロープを移送するものが提案されている。（例えば特許文献３参照）
【０００５】
また、機械室レスエレベータの主ロープ回収方法及び装置であって、乗りかごを昇降路頂部近傍で吊下げて保持すると共に、新ロープを送り出す新ロープ送り出しドラムと旧ロープを巻き取る旧ロープ巻き取りドラムとが連結され、新ロープが送り出されるに従い旧ロープを巻き取るものが提案されている。（例えば特許文献４参照）
【０００６】
また、エレベータの主ロープの撤去・新設に用いる主ロープ移動装置に関するものであって、主ロープを駆動ローラと押圧ローラで挟み込み、押圧ローラはスタッドボルトが遊貫する押圧ばねで駆動ローラに対して加圧するようにし、押圧ローラと駆動ローラとを主ロープに圧接させた状態で駆動ローラを回転することにより主ロープを移動させて主ロープを交換するものが提案されている。（例えば特許文献５参照）
【先行技術文献】
【特許文献】
【０００７】
【特許文献１】特開平０３−１３４７７号公報
【特許文献２】特開平０２−２４９８８５号公報
【特許文献３】特表２００９−５３４２７５号公報
【特許文献４】特開２００３−２３８０４７号公報
【特許文献５】特開２００３−４０５５１号公報
【発明の概要】
【発明が解決しようとする課題】
【０００８】
エレベータの主ロープ交換に関して、色々な方法や装置が提案されているが、それぞれメリット・デメリットがある。近年主流となっている機械室レスエレベータで一般的な２対１ローピングのエレベータにおいては、新旧ロープの一端を繋いで、旧ロープを巻き取ると同時に新ロープを送り出す方式が一般的である。この場合、ロープ端末のある昇降路頂部から、旧ロープの巻き取りおよび新ロープの送り出しを行うことが効率的であるが、ロープには自重で落ちる方向に力がかかることから、安全性・作業性を考慮したロープ保持装置が必要となる。
【０００９】
特許文献１、特許文献２においては、ロープをローラで挟み込んで保持する装置により、ロープ自重での落下防止とロープ移送の機能を得ている。巻上機を動作させることで、ロープを移送する方法であるが、近年主流の巻上機が昇降路底部にあるエレベータでは、上向きにロープを引っ張らなければ巻上機からトラクションを得ることができず、巻上機の動作でロープを移送するのは困難であるという課題がある。
また、特許文献１のような構成では中央側のローラは連動するため、送り出し側および巻き取り側のロープ自重によってかかる力でローラの回転が阻止され、そこで発生する摩擦力でロープを保持することとなる。しかしながら、外側ローラの端部側ローラと中間側ローラはフリー回転する構成のため、ここでの摩擦力は落下防止に作用しない。
【００１０】
さらに、特許文献１、特許文献２のロープ交換方法は、複数あるロープを同時に交換することとなる。複数ロープの同時交換は個別交換に比べてロープの移送時間は少なくできるが、新・旧ロープを設置するために乗場にスペースが必要となり、狭い場所では逆に作業しづらいという課題がある。この装置を手動巻き取りで使用する観点で見ると、表面に油が付着したロープの自重を保持するためには大きな圧力でロープを挟み込む必要がある。このとき、ロープは押圧により変形するため、ロープを引っ張ってローラを回転させるには大きな力が必要となり、手動巻き取りで使用するのは困難である。
【００１１】
特許文献３においては、電動モータで駆動する牽引装置でロープ保持・移送を行うものである。ドラムを回転させて巻き取り・送り出しをする装置に比べて小型にでき、また送り量と巻き取り量の同期をとることができるという利点がある。しかしながら、電動モータを駆動するための電源の確保が必要であるという制約があるため、汎用性を求められる標準治工具としては適していない。
【００１２】
特許文献４においては、新ロープを送り出すドラムと既設の旧ロープを巻き取るドラムとが同一軸上に連結した装置を用い、新旧ロープの巻きつけ方向を逆にすることで、巻き取りと同時に送り出しを行うことができる構成となっている。しかしながら、このような軸連結方式では新旧ロープは巻き取り・送り出しが進むに従い、巻き取り・送り出しの径が変動するため、巻き取り量と送り出し量の同期をとることができず、軸連結を解除しての巻き直し調整が必要となるという課題がある。
特許文献５においては、特許文献３と同様に電動機でロープを移送するもので、電源が必要という課題がある。
【００１３】
この発明は、上記のような問題点を解決するためになされたものであり、エレベータの主ロープ交換を安全かつ短時間で作業することができる主ロープ交換方法および装置を提供することを目的としている。
【課題を解決するための手段】
【００１４】
この発明のエレベータの主ロープ交換方法は、乗りかごを昇降路頂部近傍で吊下げて保持し、既設の旧ロープの片方の端部に新ロープを接合し、旧ロープの他方の端部から旧ロープを巻き取ると同時に新ロープを送り出すロープ交換方法にあって、旧ロープの巻き取り用ドラムと新ロープの送り出し用ドラムの直前にあるロープ経路で、旧ロープおよび新ロープをそれぞれ中央ローラと押圧ローラで挟み込み、中央ローラと押圧ローラをそれぞれ同じ方向に連動回転するようにして、旧ロープを巻き取り用ドラムに巻き取ると同時に、新ロープを送り出し用ドラムから送り出してロープの交換を行なうようにしたものである。
【００１５】
また、この発明のエレベータの主ロープ交換方法は、乗りかごを昇降路頂部近傍で吊下げ、カウンタウェイトを昇降路底部で支持して旧ロープに力が掛からないようにする工程、旧ロープの一端を固定部から切り離して新ロープと接続すると共に、旧ロープの他端を巻き取り用ドラムに接続する工程、旧ロープの巻き取り用ドラムと新ロープの送り出し用ドラムの直前に設けられた主ロープ把持装置の中央ローラと押圧ローラにそれぞれ旧ロープおよび新ロープを挟み込む工程、中央ローラと押圧ローラをそれぞれ同じ方向に連動回転するようにして、旧ロープを巻き取り用ドラムに巻き取ると同時に、新ロープを送り出し用ドラムから送り出す工程、旧ロープと新ロープの接続部を切り離して、新ロープの両端を固定部に固定する工程を備えたものである。
【００１６】
この発明のエレベータの主ロープ交換装置は、乗りかごを昇降路頂部近傍で吊下げて保持し、既設の旧ロープの片方の端部に新ロープを接合し、旧ロープの他方の端部から旧ロープを巻き取ると同時に新ロープを送り出すロープ交換装置にあって、最上階乗場に設置された旧ロープの巻き取り用ドラムと新ロープの送り出し用ドラム、巻き取り用ドラムと送り出し用ドラムの直前に設けられ、昇降路頂部または最上階乗場付近に固定された主ロープ把持装置を備え、主ロープ把持装置は、旧ロープを挟み込みで把持する巻き取り側中央ローラと巻き取り側押圧ローラ、および新ロープを挟み込みで把持する送り出し側中央ローラと送り出し側押圧ローラを有し、巻き取り側中央ローラと送り出し側中央ローラおよび巻き取り側押圧ローラと送り出し側押圧ローラはそれぞれ同じ方向に連動回転するようにしてなるものである。
【発明の効果】
【００１７】
この発明は、各ロープ交換用ドラム直前にあるロープ経路で旧ロープおよび新ロープをそれぞれ中央ローラと押圧ローラで挟み込み、中央ローラおよび押圧ローラをそれぞれ連動するように構成しているため、比較的小さいローラ押圧力でロープ自重による落下を防止する効果を得ることができる。
またこの発明の装置では、外側ローラの押圧ローラも連動する構成のため、ロープ自重での落下方向に力がかかったとき押圧ローラの回転も阻止され、押圧ローラでの摩擦力もロープ落下防止力として作用することとなる。これによって、同じローラ押圧力でも倍のロープ落下防止力が得られるという効果がある。
これにより、昇降路行程の長いエレベータにおいても、この発明のロープ交換装置を使用することで、電動機を使用せず、安全かつ短時間で主ロープの交換作業ができる。
【図面の簡単な説明】
【００１８】
【図１】この発明の実施の形態１に使用される主ロープ把持装置の正面図である。
【図２】この発明の実施の形態１に使用される主ロープ把持装置の側面図である。
【図３】この発明の実施の形態１によるエレベータの主ロープ交換方法を示す構成図である。
【図４】この発明の実施の形態１によるロープ交換手順を示すフロー図である。
【図５】この発明の実施の形態２に使用されるドラム一体型主ロープ把持装置の外観図である。
【図６】この発明の実施の形態２によるエレベータの主ロープ交換方法を示す構成図である。
【図７】この発明の実施の形態３に使用される主ロープ把持装置の正面図である。
【発明を実施するための形態】
【００１９】
実施の形態１．
以下、この発明の実施の形態１に係るエレベータの主ロープ交換方法および装置を図１〜図４に基づいて説明する。  図１、図２はこの発明の実施の形態１によるエレベータの主ロープ交換方法および装置に使用される主ロープ把持装置の正面図と側面図、図３はこの発明の実施の形態１によるエレベータの主ロープ交換方法を示す構成図、図４はこの発明の実施の形態１によるロープ交換手順を示すフロー図である。
【００２０】
図１、図２に示す主ロープ把持装置５０は、巻き取り側中央ローラ１と巻き取り側押圧ローラ２と送り出し側中央ローラ３と送り出し側押圧ローラ４の径が同一な４つのローラから構成される。
巻き取り側中央ローラ１と送り出し側中央ローラ３は軸が連結されており、中央ローラ軸受ブロック５に取り付けられている。したがって巻き取り側中央ローラ１と送り出し側中央ローラ３は同じ方向に連動して回転する。巻き取り側押圧ローラ２は巻き取り側可動ブロック６に取り付けられ、同様に送り出し側押圧ローラ４は送り出し側可動ブロック７に取り付けられ、巻き取り側押圧ローラ２および送り出し側押圧ローラ４はシャフト８に沿って摺動する。
【００２１】
巻き取り側中央ローラ１と巻き取り側押圧ローラ２は、ばね９ａのばね力により、旧ロープ１０を挟み込む構成となる。ばね９ａのばね力は調整ボルト１２ａで調整できる。同様に送り出し側中央ローラ３と送り出し側押圧ローラ４は、ばね９ｂのばね力により、新ロープ１１を挟み込む構成となる。ばね９ｂのばね力は調整ボルト１２ｂで調整できる。
巻き取り側押圧ローラ２と送り出し側押圧ローラ４は歯付きの押圧ローラ連結ベルト１３により連動する構成となる。したがって巻き取り側押圧ローラ２と送り出し側押圧ローラ４は同じ方向に連動して回転する。
【００２２】
このような構成により、旧ロープ１０を図１の左方向に引っ張ったとき、巻き取り側中央ローラ１と巻き取り側押圧ローラ２は矢印方向に回転し、その回転が軸および連結ベルト１３の連結により、送り出し側中央ローラ３と送り出し側押圧ローラ４が矢印方向に回転し、新ロープ１１を図１の右方向に送り出すこととなる。このとき、各ローラの径が同一であるので、旧ロープ１０の巻き取り量と新ロープ１１の送り出し量は等しくなる。これにより、ロープの送り過ぎを防ぐことができるため、弛んだロープが昇降路の機器に当たって故障を引き起こすことを防止できる。
【００２３】
次に主ロープ把持装置５０を使用したロープ交換方法および装置を説明する。図３は機械室レスエレベータの昇降路全体の構成を示し、図示しないガイドレールに沿って案内されて昇降する乗りかご２１と、この乗りかご２１と相対して昇降路内を昇降する釣合い重りのカウンタウェイト２２と、これらの乗りかご２１とカウンタウェイト２２を吊上げるロープ１０と、昇降路の底部２３に設置され、ロープ１０を駆動する巻上機２４とを備えている。
【００２４】
新ロープ１１に交換される前の旧ロープ１０は、一端が昇降路の頂部付近のロープ固定部２６で連結されるとともに、ロープ１０の中間部が、カウンタウェイト２２の上部に設けられるプーリ２２ａ、昇降路の頂部付近の上部ビーム（図示省略）に設けられる転向プーリ２７ａ、巻上機２４の巻上シーブ２４ａ、昇降路の頂部付近の上部ビームに設けられる他の転向プーリ２７ｂ、乗りかご２１の下部に取り付けられるかご下プーリ２１ａに順次掛回されて、ロープ１０の他端が昇降路の頂部付近において他のロープ固定部２８で連結されている。
【００２５】
そして旧ロープ１０を新ロープ１１に交換する際のロープ交換装置として、昇降路の最上階乗場２９に旧ロープ１０の巻き取り用ドラム３０と新ロープ１１の送り出し用ドラム３１が設置される。そして巻き取り用ドラム３０および送り出し用ドラム３１の直前のロープ経路（ロープ経路の端部）には図１および図２に示す主ロープ把持装置５０を設け、昇降路頂部の梁もしくは仮設梁等に固定される。さらに昇降路頂部にはロープガイド用滑車３２ａ、３２ｂが取り付けられる。
【００２６】
次に、図４に示すロープ交換手順のフローに基づき、主ロープ交換方法を説明する。
まず、手順Ｓ１として、既設の旧ロープ１０に吊られているカウンタウェイト２２および乗りかご２１を持ち上げロープ１０に力が掛からない状態にするため、昇降路の底部２３にカウンタウェイト支持具２５を取り付け、カウンタウェイト２２を支持する。一方、乗りかご２１を昇降路頂部近傍にチェーンブロック（図３では省略）により吊り上げて保持する。
【００２７】
次に手順Ｓ２として、既設の旧ロープ１０のカウンタ側ロープ端末とかご側ロープ端末をそれぞれロープ固定部２６、２８から取り外す。
次に手順Ｓ３として、旧ロープ１０のカウンタ側ロープ端末と送り出しドラム３１より引き出した新ロープ１１を新旧ロープ接続部３３で接続し、旧ロープ１０のかご側ロープ端末を巻き取り用ドラム３０に取り付ける。このとき、旧ロープ１０はロープガイド用滑車３２ａに、新ロープ１１はロープガイド用滑車３２ｂにそれぞれ掛けて、各ロープを最上階乗場２９まで案内する。
【００２８】
次に手順Ｓ４として、旧ロープ１０を主ロープ把持装置５０の巻き取り側中央ローラ１と巻き取り側押圧ローラ２間に挟み込むように取り付ける。また新ロープ１１を主ロープ把持装置５０の送り出し側中央ローラ３と送り出し側押圧ローラ４間に挟み込むように取り付ける。このとき、ばね９ａ、９ｂが調整ボルト１２ａ、１２ｂで所定のばね力になるようにし、適切なローラの押付力になるよう設定する。この主ロープ把持装置５０を昇降路頂部の梁もしくは仮設梁等に固定する。
【００２９】
次に手順Ｓ５として、旧ロープ１０を手で引っ張り、かご側ロープ端末を巻き取り用ドラム３０に巻き取っていく。同時に新ロープ１１は新旧ロープ接続部３３で旧ロープ１０と接続されているため、新ロープ１１は送り出しドラム３１から送り出される。巻き取り側ロープ（旧ロープ）１０を引っ張ることで、主ロープ把持装置５０の巻き取り側中央ローラ１および巻き取り側押圧ローラ２が回転し、これに連動して送り出し側中央ローラ３および送り出し側押圧ローラ４が回転し、新ロープ１１を送り出すことができる。
【００３０】
このとき、新旧ロープ１０、１１には昇降路に落ちていく方向に自重がかかっているため、軸で連結された中央ローラ１、３および押圧ローラ連結ベルト１３で連結された押圧ローラ２、４にはそれぞれ反対に回転する方向に力がかかることとなるが、ほぼ同等のロープ自重が作用するためローラは回転せず、各ローラ表面で発生する摩擦力でロープは保持されている。これにより、作業者がロープから手を離してもロープは落下せず、ロープを引っ張る力もロープ自重分は相殺されるため、比較的小さい力で引っ張り上げることができる。
【００３１】
また、ロープ自重を保持するのに十分な摩擦力を得るのに、従来の中央ローラ部での摩擦力に加えて、押圧ローラ部での摩擦力も作用するため、従来の半分のローラ押付力で良く、ロープの変形も小さくて済むため、引っ張り上げるときの抵抗が小さくできる。また、このとき巻上機２４にかかるロープに若干弛みを持たせておくことで、ここでの摩擦抵抗をなくすことができる。ロープの巻き取り量と送り出し量を同期させることが可能なので、一定のロープ弛みが維持できる。これにより、巻上機２４のブレーキを解放せずにロープ交換作業が可能となり、作業時間の短縮効果を得られる。
【００３２】
次に手順Ｓ６として、新旧ロープ接続部３３が巻き取り用ドラム３０に近づいた所定のところでロープの巻き取りをやめて、旧ロープ１０と新ロープ１１の接続部３３を切り離す。主ロープ把持装置５０から新ロープ１１を取り外して、新ロープ１のカウンタ側ロープ端末をロープ固定部２６に取りつけ、新ロープ１のかご側ロープ端末をロープ固定部２８に取り付ける。このとき、新ロープの片側端末は加工済みのものが使えるため、現地加工の時間が短縮できる。
【００３３】
エレベータは複数のロープで吊られているので、順次手順Ｓ２〜Ｓ６を繰り返し、新旧ロープの交換を行う。
最後に手順Ｓ７として、乗りかご２２を吊っているチェーンブロックを取り外し、新ロープ１１に吊られている状態に戻す。そして試運転等を行い完了となる。
【００３４】
以上のようにこの実施形態の手順および構成は、各ロープ交換用ドラム直前にあるロープ経路に設けられた主ロープ把持装置５０で旧ロープおよび新ロープをそれぞれ中央ローラと押圧ローラで挟み込みこむように構成しているので、機械室レスエレベータのロープ交換作業を安全かつ少ない労力で実施することができる。電動機を使わないため電源確保の制約もない。また、電動機を使う装置に比べて設置・取り扱いが簡便なため、ロープを個別交換する場合でも全体的に見て作業時間の短縮が可能である。
【００３５】
特に、主ロープ把持装置５０は、旧ロープおよび新ロープをそれぞれ中央ローラ１、３と押圧ローラ２、４で挟み込み、中央ローラと押圧ローラをそれぞれ同じ方向に連動回転するようにしているから、新旧のロープの自重が各ローラにかかり、それぞれ連動するローラを反対方向に回そうとするためローラの回転は阻止され、ここで発生する摩擦力によりロープ自重による落下を防止する。また、ロープを引っ張り上げる際にロープ自重分はローラにかかる力で相殺されるため、作業者の負担を軽減できる。
【００３６】
また、主ロープ把持装置５０は、新旧ロープをそれぞれ挟み込む４つのローラで構成され、中央ローラが軸によって連結され、押圧ローラが連結ベルトによって連結されて、それぞれ同一方向に回転するようにしているから、各ローラにロープ自重で落下する方向に力が掛かったとき、中央・押圧両方のローラがそれぞれ反対方向に回転する力がかかり、ローラの回転が阻止され、両方のローラで発生する摩擦力によりロープ落下を防止できる。特に、中央ローラのみ連結した装置に比べて、所定のロープ自重を保持する場合、半分の押圧力でロープ落下を防止できる。押圧力の減少により、ローラ挟み込みでのロープ変形が小さくなり、ローラの回転抵抗も小さくなる。これにより、電動機を使わない簡便な方法でロープ交換が可能となる。
【００３７】
さらに、主ロープ把持装置５０は、新旧ロープをそれぞれ挟み込む４つのローラの径を同一に構成しているため、旧ロープの巻き取り量と新ロープの送り出し量は等しくなる。これにより、ロープの送り過ぎを防ぐことができるため、弛んだロープが昇降路の機器に当たって故障を引き起こすことを防止できる。また、巻上機にかかる部分のロープを弛ませておき、ロープ移送中も一定の弛みが維持できることにより、巻上機のブレーキを解放せずにロープ交換作業が可能になり、作業時間の短縮効果を得られる。
【００３８】
実施の形態２．
次に、この発明の実施の形態２に係るエレベータの主ロープ交換方法および装置を図５〜図６に基づいて説明する。
図５はこの発明の実施の形態２に使用されるドラム一体型主ロープ把持装置の外観図、図６はこの発明の実施の形態２によるエレベータの主ロープ交換方法を示す構成図で、図中、図３と同じ構成あるいは相当する部分には同じ符号を付している。
【００３９】
図５に示すドラム一体型主ロープ把持装置６０は、固定フレーム３４に主ロープ把持装置５０、巻き取り用ドラム３０、送り出し用ドラム３１が固定された一体構造となっている。巻き取り用ドラム３０には、手回し用の巻き取りハンドル３５が取り付けられている。このハンドル３５と巻き取り用ドラム３０との間には減速機が組み込まれており、手回しでも少ない負担で巻き取りが可能となっている。送り出し用ドラム３１はフリーに回転するだけでよく、送り出し量と巻き取り量の同期は主ロープ把持装置５０によって得られる。
【００４０】
図６において、ドラム一体型主ロープ把持装置６０を使用したロープ交換方法および装置を説明する。図６は図３と同じ機械室レスエレベータの昇降路全体の構成を示し、実施の形態１との違いは、主ロープ把持装置５０、巻き取り用ドラム３０、送り出し用ドラム３１が一体構造となったドラム一体型主ロープ把持装置６０を最上階乗場２９に設置するようにしたことである。その他の構成は図３と同じに付き、説明を省略する。
【００４１】
エレベータの構造によっては、昇降路頂部付近に主ロープ把持装置５０を取り付けるのが困難な場合もある。実施の形態２のように乗場設置型にすることで、エレベータの構造によらず汎用的に使用することができる。ただし、乗場のスペースが狭いような場合は実施の形態１の構成が有利な場合もあるので、現場の状況によって使い分けることが可能である。
【００４２】
実施の形態２の構成では、旧ロープ１０を直接引っ張るのではなく、巻き取り用ハンドル３５を回すことで巻き取り用ドラム３０に巻き取りながら新旧ロープの交換を行うことができる。なお、ロープ交換手順は図４のフローと同じであり、説明を省略する。
この構成では、ロープ巻き取りに掛かる労力を軽減することができ、作業効率がよいという効果が得られる。また、ドラム３０、３１の直前のロープ経路（ロープ経路の端部）に主ロープ把時装置５０があるため、実施の形態１と同様に、ロープの落下防止・巻き取り負荷軽減の効果を得ることができる。
【００４３】
また、この構成の特徴として、新旧ロープの移送作業中に、送り出し用ドラム３１と巻き取り用ドラム３０には常に一定量のロープが存在することがある。このようなロープ交換用装置は現場への持ち運びを考慮すると、なるべく軽量化することが望ましい。しかしながら、あまり軽量であると装置が安定せず、何らかの固定具が必要となり作業性を悪化させる。この構成の場合、ロープ自体が重しとなり、軽量でありながら安定した作業ができるという効果がある。
【００４４】
実施の形態３．
次に、この発明の実施の形態３に係るエレベータの主ロープ交換方法および装置を図７に基づいて説明する。
図７はこの発明の実施の形態３に使用される主ロープ把持装置の正面図を示し、図１および図２と同じ構成あるいは相当する部分には同じ符号を付している。
【００４５】
図７に示す主ロープ把持装置は、巻き取り側押圧ローラ２と送り出し側押圧ローラ４に２個の張り車１４を加えて、押圧ローラ連結ベルト１３で連結したものである。押圧ローラ２、４の押圧力は連結ベルト１３の張力で得ることとなる。張り車調整ボルト１５により２個の張り車１４が連動して動く構成で、一つの調整ボルト１５の操作で両方の押圧ローラに押圧力を掛けることができ、張力の調整を行う。この実施の形態３は実施の形態１に比べて、調整ボルトが少なくなり、取り扱いが容易になるという効果がある。
【００４６】
実施の形態４．
また、実施の形態２のドラム一体型主ロープ把持装置６０にある手回し用の巻き取りハンドル３５に代えて、装置にバッテリで動作する電動機を取り付ける構成も可能である。これにより、電源確保ができない現場でも、作業者の負担軽減および作業時間短縮の効果がある。
【００４７】
実施の形態５．
また、乗場のスペースがある現場では、実施の形態４の装置を複数台同時に動作させることで、複数ロープを同時交換する構成も可能である。これにより、作業時間の短縮が可能である。
【符号の説明】
【００４８】
１：巻き取り側中央ローラ              ２：巻き取り側押圧ローラ
３：送り出し側中央ローラ              ４：送り出し側押圧ローラ
５：中央ローラ軸受ブロック            ６：巻き取り側可動ブロック
７：送り出し側可動ブロック            ８：シャフト
９ａ、９ｂ：ばね                    １０：旧ロープ
１１：新ロープ                        １２ａ、１２ｂ：調整ボルト
１３：押圧ローラ連結ベルト            １４：張り車
１５：張り車調整ボルト
２１：乗りかご                        ２２：カウンタウェイト
２３：昇降路底部                      ２４：巻上機
２５：カウンタウェイト支持具          ２６：カウンタ側ロープ固定部
２７ａ、２７ｂ：転向プーリ            ２８：かご側ロープ固定部
２９：最上階乗場                    ３０：巻き取り用ドラム
３１：送り出し用ドラム                ３２ａ、３２ｂ：ロープガイド用滑車
３３：新旧ロープ接続部                ３４：固定フレーム
３５：巻き取りハンドル
５０：主ロープ把持装置                ６０：ドラム一体型主ロープ把持装置
【図１】
2012056716.tif 000003
【図２】
2012056716.tif 000004
【図３】
2012056716.tif 000005
【図４】
2012056716.tif 000006
【図５】
2012056716.tif 000007
【図６】
2012056716.tif 000008
【図７】
2012056716.tif 000009